(57)【要約】  トレーニング装置は２つの把持要素（２）を備え、把持要素の間で、フライホイール（６）がロープ（４）に吊設される。ロープをねじることによってまた把持要素（２）を繰り返し引っ張ることによって、フライホイール（６）がそれらの回転軸線（１０）を中心に回転される。ロープ（４）は、フライホイール（６）を貫く２つの貫通部（８）を通して貫通案内される。この場合、貫通部（８）は、回転軸線（１０）に対し斜めに延びる。これによって、トレーニング動作で、ロープと貫通部の壁部との間の摩擦が高められ、ロープ（４）に沿ったフライホイール（６）のスリップが垂直のトレーニング動作の際に回避される。
2013501552.tif 000002
【特許請求の範囲】
【請求項１】
２つの把持要素（２）と、前記把持要素の間に配置された回転体（６）と、前記回転体を通して延びる２つの貫通部（８）であって前記把持要素（２）と結合されたロープ（４）が案内される前記２つの貫通部（８）と、を有するトレーニング装置であって、前記ロープ（４）をねじった後に前記ロープ（４）を繰り返し引っ張ることによって、前記回転体（６）が回転軸線（１０）を中心に回転されることができるトレーニング装置において、
前記貫通部（８）が、前記回転軸線（１０）に対し少なくとも部分的に斜めに延びて形成されることを特徴とするトレーニング装置。
【請求項２】
前記貫通部（８）が前記貫通部の全長にわたって前記回転軸線（１０）に対し斜めに延びて形成されることを特徴とする、請求項１に記載のトレーニング装置。
【請求項３】
前記貫通部（８）が直線的に形成されることを特徴とする、請求項１又は２に記載のトレーニング装置。
【請求項４】
前記貫通部（８）が交差することを特徴とする、請求項１〜３のいずれか一項に記載のトレーニング装置。
【請求項５】
前記貫通部（８）を通して案内される前記ロープ（４）の部分領域（４Ａ、４Ｂ）が、同様に交差することを特徴とする、請求項４に記載のトレーニング装置。
【請求項６】
前記貫通部（８）が前記回転軸線（１０）に対し１５°〜６０°の範囲、特に３０°〜５０°の範囲にある傾斜角（α）で配向されることを特徴とする、請求項１〜５のいずれか一項に記載のトレーニング装置。
【請求項７】
前記貫通部（８）が、前記回転軸線（１０）に対し異なるように配向され、特に互いに直角に配向される部分（８Ａ、８Ｂ）を備えることを特徴とする、請求項１〜３のいずれか一項に記載のトレーニング装置。
【請求項８】
前記貫通部（８）が、前記ロープ直径の１．３〜３倍である直径を有することを特徴とする、請求項１〜７のいずれか一項に記載のトレーニング装置。
【請求項９】
前記貫通部（８）が端部側にそれぞれ導入斜面（１４）を備えることを特徴とする、請求項１〜８のいずれか一項に記載のトレーニング装置。
【発明の詳細な説明】
【技術分野】
【０００１】
本発明は、間に回転体が配置される２つの把持要素と、２つの貫通部を備える回転体を備え、前記把持要素と結合されたロープ（Ｃａｂｌｅ）が前記２つの貫通部を通して案内されるトレーニング装置に関する。ロープをねじることにより、そして、ロープを繰り返し引っ張ることにより、回転体はその回転軸線を中心に回転される。
【背景技術】
【０００２】
このようなトレーニング装置は、例えば国際公開第２００５／０４６８０５号パンフレットに記載されている。
【０００３】
フライホイールは、通常、例えば数１００グラムの重量を有する回転体として形成される。把持部分を繰り返し引っ張ることによって、フライホイールは、引っ張る毎に反対方向に加速される。この場合、質量慣性のため、選択した筋肉領域のトレーニング目的のために使用することができる十分に大きな力が生じる。
【０００４】
このようなトレーニング装置は、その簡単な構成及び同時に広い利用範囲を可能にするコンパクト性によって傑出している。このようなトレーニング装置は、特に、選択した筋肉部分を造るために治療目的にも使用することができる。
【０００５】
この場合、トレーニング装置は、すなわちロープが略水平に延びるときに、水平方向に操作できるのみならず、他の任意の空間方向においても、すなわち例えば斜めに又は垂直方向にも操作できる。垂直の配向の場合、当然、回転体がその自重によってロープに沿って下方の把持要素の方へ滑るという問題が生じる。ロープに取り付けられた滑り止め又はロープ内に作られた結び目も、対策にはあまり適切でないが、この理由は、それらが例えばロープの定期交換の際に邪魔となるからである。
【先行技術文献】
【特許文献】
【０００６】
【特許文献１】国際公開第２００５／０４６８０５号パンフレット
【発明の概要】
【発明が解決しようとする課題】
【０００７】
本発明の課題は、このようなトレーニング装置において、垂直のトレーニングに使用する際に、回転体の下方への位置ずれを防止し、同時に可能な限り高い使用者の快適性を保証することである。
【課題を解決するための手段】
【０００８】
上記課題は、本発明に従って、請求項１の特徴を有する装置によって解決される。このトレーニング装置では、ロープが案内される回転体を貫いて延びる貫通部が、通常のように回転軸線に対し平行でなく、回転軸線に対し斜めに傾いて延びることが意図される。したがって、貫通部は、回転軸線に対しある傾斜角で、側面から通常は円盤状の特に中実の回転体を通して、対向する側面に延びる。したがって、貫通部は、同時に回転軸線が垂線を形成する平面に対し斜めに傾いて延びる。
【０００９】
この場合、この形態は、回転体を貫く斜めの貫通部によって、ロープと貫通部の壁部領域との間の摩擦を高め、この結果、これによって、垂直のトレーニング位置の場合の回転体の下方への位置ずれが少なくとも大部分回避されるという考えに基づいている。この場合、この斜めに配向された貫通部の特別な利点は、さらに、ロープの簡単な案内が、例えばロープの交換の際に問題なく可能であることに見られる。摩擦の増大は、ロープを解き又はねじるためにロープが引っ張られるときに、トレーニング状態において、小さな引張り荷重においてでさえ容易に生じることが好ましい。貫通開口部の平行でない配向のため、及ぼされる引張力によって、すなわちロープはトレーニング動作で壁部領域に押圧される。
【００１０】
回転体は、好ましくは中実のフライホイールとして中実材料から形成され、特に典型的に数１００グラム、例えば１００〜３００グラムの範囲、好ましくは約１７５グラムの範囲の重量を有する。回転体は、金属、プラスチック又は好ましくは硬質ゴムからなることができる。円板の直径は、典型的に数センチメートルの範囲、例えば５〜１０ｃｍの範囲、好ましくは約７．５ｃｍの範囲にある。フライホイールの厚さは、例えば数センチメートル、特に約２．５ｃｍである。
【００１１】
目的に適う形態によれば、貫通部は、それらの全長にわたって回転軸線に対し斜めに延びる。このことにより、例えば、回転軸線に対し、斜めにドリルを用いることにより貫通部を簡単に形成することが可能になる。したがって、貫通部は、回転体を通して同様に直線的に延びることが好ましい。
【００１２】
好ましい形態によれば、貫通部は回転体内で交差する。代替案として、また、貫通部は回転体の中央を横切ることができるが、互いに交差しないことも可能である。好ましくは、補足的に、回転体を通して貫通案内されるロープの部分領域が同様に交差することが意図される。この措置によって、非常に小さな引張り応力で、ロープに沿った回転体の位置ずれが容易に防止されることが保証される。交差するロープの部分領域によって、すなわち、いわば交差する部分領域によって形成された楔形領域で回転体が支持される。この形態は、簡単に、交差しかつ連続する２つの孔によって貫通開口部として達成され、これらの孔は、中央で、すなわち回転体の内部で半分の高さで交差する。ロープの部分領域は、交点で互いに案内されかつそこで接触する。
【００１３】
目的に適う発展形態によれば、特に交差する貫通部の場合、貫通部は、回転軸線に対し好ましくは１５°〜６０°の範囲の傾斜角で配向されることが意図される。特に、傾斜角は、３０°〜５０°の範囲にある。好ましい形態によれば、傾斜角は約４５°であり、この結果、ロープの両方の部分領域の間の角度は９０°である。試験によれば、このような角度により、滑りが特に有効に防止されることが明らかになっている。
【００１４】
連続して直線的に延びる貫通部の代わりに、目的に適う形態によれば、貫通部が、回転軸線に対し異なる角度で配向される少なくとも２つの部分（片）を備えることが意図される。この場合、好ましくは、両方の部分（片）が、それぞれ回転体の外側から回転軸線の方向に斜めに直線的に延びかつほぼ回転体の中央で出会い、この結果、部分（片）がほぼＶ字形状に、必要に応じて中央の領域を面取りして形成されることが意図される。
【００１５】
部分片は、必ずしも直線的である必要はない。代わりに、部分領域が曲がるか又は貫通部が全体的に曲がって形成されることも可能である。この場合、両方の貫通部は、それぞれ回転軸線に対し凸状に曲げられることが好ましい。原理的に、部分領域は、例えば凹状に曲がって又は直角に回転軸線から離れて示すこともできる。
【００１６】
貫通部を通したロープの簡単な導入及び貫通を可能にし、同時に容易に小さな引張り荷重における摩擦の増大を保証するために、貫通部は、目的に適って、ロープ直径の１．３〜３倍である直径を有する。
【００１７】
トレーニング動作時のロープのねじり及び解きの際に、貫通部の入口の領域において大きな負荷がロープに生じるので、目的に適って、貫通部が端部側に、すなわちそれらの入口側又は出口側にそれぞれ導入斜面を備えることが意図される。この場合、導入斜面は、目的に適って、回転軸線に向かって非対称に形成される。
【００１８】
次に、図面を参照して本発明の実施例について詳細に説明する。それぞれ単純化した概略図で示されている。
【図面の簡単な説明】
【００１９】
【図１】回転体としてフライホイール及び把持要素としてベルトループを有するトレーニング装置の図面である。
【図２】案内されるロープ部分領域を有する、図３の線ＩＩ−ＩＩに沿った第１の代替形態によるフライホイールの断面図である。
【図３】図２によるフライホイールの上面図である。
【図４】互いに直角に配向された貫通部を有する第２の代替形態の概略図である。
【図５】凸状に湾曲した貫通部を有する第３の代替形態の図面である。
【発明を実施するための形態】
【００２０】
図では、同一に作用する部分には、同一の参照番号が付されている。
【００２１】
図１によるトレーニング装置は、ベルトループ２として形成された２つの把持要素を備え、把持要素には、フライホイール６として形成された回転体の２つの貫通部８を通して案内されるロープ４が固定される。フライホイール６は、中実材料からなる中実本体、例えば金属又は硬質ゴムによって形成され、この中実本体は、好ましくは孔として形成された貫通部８のみによって貫通される。ベルトループ２は、例えば繊維材料製、プラスチック製又は同様にゴムのような他の弾性材料製である。ベルトループ２の代わりに、リング、棒等のような他の把持要素も設けることができる。しかし、ベルトループ２は、ベルトループが高い握り快適性を提供し、かつ例えば、ベルトループ２が手によって把持されるのみならず、例えば足又は頭のような身体部分のまわりにも置くことができることによって、特に使用範囲も広げるという利点を提供する。
【００２２】
トレーニング装置の機能は次の通りである。まず、ロープ４がフライホイール６を手で回転することによって幾分ねじられる。次に、ベルトループ２を引っ張ることによって、ねじられたロープが解かれ、フライホイール６がそれらの回転軸線１０を中心に回転される。次に、フライホイール６の回転は、逆方向にねじりをもたらし、このねじれは、ベルトループ２を引っ張ることによって再び解かれる。この場合、発生された回転速度に基づき、非常に高い力及び慣性モーメントが生じる。
【００２３】
この簡単なトレーニング装置によって、異なる筋肉領域を有効かつ簡単にトレーニングすることができる。トレーニング装置は、任意の配向で機能できる。場合によっては、トレーニング装置は垂直方向又は斜め方向で動作される。この動作方法では、フライホイール６が下方のベルトループ２の方向に位置がずれ、もはや中心に配置されないという問題がある。
【００２４】
このことを回避するために、回転軸線１０の両側に配置される貫通部８が、回転軸線１０に対し斜めにフライホイール６を貫いて延びることが意図される。
【００２５】
図２に示した第１の実施例によれば、貫通部８は、全体のフライホイール６を直線的に通り抜ける穿孔穴として形成され、これらの穴は、フライホイール６の中心で、すなわち半分の高さで交差する。この場合、交点は回転軸線１０に位置する。
【００２６】
これらの両方の貫通部８を通して、ロープ４のそれぞれ１つの部分領域４Ａ、４Ｂが案内される。両方の部分領域４Ａ、４Ｂは、この場合に同様に交差し、すなわち、同様に直線的にフライホイール６を通して貫通案内される。交点では、両方の部分領域４Ａ、４Ｂが互いに当接する。
【００２７】
図２の断面図から良くわかるように、両方の部分領域４Ａ、４Ｂは、フライホイール６の中心の中間部片１２によって充填されるある種のポケット又は楔形領域を形成する。両方の部分領域４Ａ、４Ｂは、この中間部片１２をほぼ包み込むように当接する。
【００２８】
貫通部８は、それらの入口開口部又は出口開口部にそれぞれ導入斜面１４を備える。これらの開口部は、実施例では非対称に形成され、特に中間部片１２に対してのみ設けられる。単に概略的な図面と異なり、中間部片１２は、ロープ４に対する負荷を可能な限り小さく保持するために、導入斜面の領域で全体的に丸く形成される。
【００２９】
ロープ４の容易な導入を可能にし、同時に十分に高い摩擦を保証するために、貫通部８の直径は、すなわち貫通部の内のり幅は、ロープ直径の約１．３〜２倍である。ロープ直径は例えば３ｍｍであり、貫通部８の直径は約５ｍｍである。
【００３０】
貫通部８は、回転軸線１０に対し傾斜角αだけ傾いて配置される。この傾斜角は実施例では約４５°である。
【００３１】
円形の横断面を有するフライホイール６の上面図から、貫通部８の入口開口部、ならびに回転軸線１０に対し配向された側面にのみ形成される導入斜面１４の非対称の形成が認識される。両方の貫通部８の間の間隔は、典型的に１〜３ｃｍの範囲にある。
【００３２】
図４による代替実施形態の場合、それぞれの貫通部８は、互いに直角に配向される２つの部分（片）８Ａ、８Ｂから形成される。直角に形成された貫通部８の互いに向かって方向付けられた先端は、互いに離間され、この結果、貫通部８は交差しない。示した角度先端とは異なり、ロープの角張った方向転換点を形成しないために、角度先端は丸く形成することが好ましい。
【００３３】
最後に、図５による実施形態の変形の場合、貫通部８の連続して湾曲した形状が設けられる。実施例では、曲率半径は一定である。
【００３４】
示した実施形態の変形とは異なり、同様に、湾曲した部分領域と、直線的に延びる部分領域との、ならびに回転軸線１０に対し平行に延びる部分領域との組み合わせが可能である。
【符号の説明】
【００３５】
２  ベルトループ
４  ロープ
４Ａ、４Ｂ  ロープの部分領域
６  フライホイール
８  貫通部
８Ａ、８Ｂ  貫通部の部分
１０  回転軸線
１２  中間部片
１４  導入斜面
α  傾斜角
【図３】
2013501552.tif 000003
【図４】
2013501552.tif 000004
【図５】
2013501552.tif 000005
【図１】
2013501552.tif 000006
【図２】
2013501552.tif 000007
【手続補正書】
【提出日】平成24年4月6日(2012.4.6)
【手続補正１】
【補正対象書類名】特許請求の範囲
【補正対象項目名】全文
【補正方法】変更
【補正の内容】
【特許請求の範囲】
【請求項１】
２つの把持要素（２）と、前記把持要素の間に配置された回転体（６）と、前記回転体を通して延びる２つの貫通部（８）であって前記把持要素（２）と結合されたロープ（４）が案内される前記２つの貫通部（８）と、を有するトレーニング装置であって、前記ロープ（４）をねじった後に前記ロープ（４）を繰り返し引っ張ることによって、前記回転体（６）が回転軸線（１０）を中心に回転されることができるトレーニング装置において、
前記貫通部（８）が、前記回転軸線（１０）に対し少なくとも部分的に斜めに延びて形成され、
前記回転体（６）は、中実材料から形成された中実のフライホイールであり、
前記貫通部（８）は、トレーニング中、前記貫通部（８）の平行でない向きと前記ロープ（４）の引張り力により、前記ロープ（４）が前記貫通部（８）の壁に押し付けられて前記ロープ（４）と前記壁との間の摩擦力が増大するように、傾いている
ことを特徴とするトレーニング装置。
【請求項２】
前記貫通部（８）が前記貫通部の全長にわたって前記回転軸線（１０）に対し斜めに延びて形成されることを特徴とする、請求項１に記載のトレーニング装置。
【請求項３】
前記貫通部（８）が直線的に形成されることを特徴とする、請求項１又は２に記載のトレーニング装置。
【請求項４】
前記貫通部（８）が交差することを特徴とする、請求項１〜３のいずれか一項に記載のトレーニング装置。
【請求項５】
前記貫通部（８）を通して案内される前記ロープ（４）の部分領域（４Ａ、４Ｂ）が、同様に交差することを特徴とする、請求項４に記載のトレーニング装置。
【請求項６】
前記貫通部（８）が前記回転軸線（１０）に対し１５°〜６０°の範囲、特に３０°〜５０°の範囲にある傾斜角（α）で配向されることを特徴とする、請求項１〜５のいずれか一項に記載のトレーニング装置。
【請求項７】
前記貫通部（８）が、前記回転軸線（１０）に対し異なるように配向され、特に互いに直角に配向される部分（８Ａ、８Ｂ）を備えることを特徴とする、請求項１〜３のいずれか一項に記載のトレーニング装置。
【請求項８】
前記貫通部（８）が、前記ロープ直径の１．３〜３倍である直径を有することを特徴とする、請求項１〜７のいずれか一項に記載のトレーニング装置。
【請求項９】
前記貫通部（８）が端部側にそれぞれ導入斜面（１４）を備えることを特徴とする、請求項１〜８のいずれか一項に記載のトレーニング装置。
【国際調査報告】
2013501552.tif 000008
2013501552.tif 000009
2013501552.tif 000010
2013501552.tif 000011